(57)【要約】【課題】動作の切り替えの操作性を向上させることができる小型電気機器およびその制御装置を提供する。【解決手段】電気かみそり１の制御装置３０は、電気かみそり１のスイッチ１２の操作に応じて電気かみそり１のリニアモーター２１の動作を変更する。制御装置３０は、電気かみそり１の動作モードが第１動作モードであり、スイッチ１２が第１操作される場合、電気かみそり１の動作モードを第１動作モードとは異なる第２動作モードに変更し、電気かみそり１の動作モードが第１動作モードであり、スイッチ１２が第１操作とは異なる第２操作される場合、電気かみそり１の動作モードを第１動作モードから第２動作モードを介さずに第１動作モードおよび第２動作モードとは異なる第３動作モードに変更する。【選択図】図２
2020151533.tif 000002
【特許請求の範囲】
【請求項１】
小型電気機器のスイッチの操作に応じて前記小型電気機器の駆動源の動作を変更する小型電気機器の制御装置であって、
前記小型電気機器の動作モードが第１動作モードであり、前記スイッチが第１操作される場合、前記小型電気機器の動作モードを前記第１動作モードとは異なる第２動作モードに変更し、
前記小型電気機器の動作モードが前記第１動作モードであり、前記スイッチが前記第１操作とは異なる第２操作される場合、前記小型電気機器の動作モードを前記第１動作モードおよび前記第２動作モードとは異なる第３動作モードに変更し、
前記小型電気機器の動作モードが前記第２動作モードであり、前記スイッチが前記第１操作される場合、前記第１動作モードかつ前記第１操作の場合に選択される動作モードとは異なる動作モードに変更し、
前記小型電気機器の動作モードが前記第２動作モードであり、前記スイッチが前記第２操作される場合、前記第１動作モードかつ前記第２操作の場合に選択される動作モードとは異なる動作モードに変更する
小型電気機器の制御装置。
【請求項２】
前記第１操作は長押し操作および短押し操作の一方であり、
前記第２操作は長押し操作および短押し操作の他方である
請求項１に記載の小型電気機器の制御装置。
【請求項３】
前記第１動作モードは前記駆動源を停止する停止モードである
請求項１または２に記載の小型電気機器の制御装置。
【請求項４】
前記第２動作モードは前記駆動源を駆動する駆動モードである
請求項１〜３のいずれか一項に記載の小型電気機器の制御装置。
【請求項５】
前記第３動作モードは前記小型電気機器の洗浄のために前記駆動源を駆動する洗浄モード、および、前記スイッチの操作が前記第１操作または前記第２操作である場合に前記小型電気機器の動作モードを変更しないロックモードの一方である
請求項１〜４のいずれか一項に記載の小型電気機器の制御装置。
【請求項６】
前記小型電気機器の動作モードが前記第２動作モードであり、前記スイッチが前記第１操作される場合、前記小型電気機器の動作モードを前記第１動作モードに変更する
請求項１〜５のいずれか一項に記載の小型電気機器の制御装置。
【請求項７】
前記小型電気機器の動作モードが前記第２動作モードであり、前記スイッチが前記第２操作される場合、前記小型電気機器の動作モードを前記第３動作モードに変更する
請求項１〜６のいずれか一項に記載の小型電気機器の制御装置。
【請求項８】
請求項１〜７のいずれか一項に記載の小型電気機器の制御装置を備える
小型電気機器。
【請求項９】
前記スイッチは１個の押釦スイッチである
請求項８に記載の小型電気機器。
【請求項１０】
電気かみそりである
請求項８または９に記載の小型電気機器。
【発明の詳細な説明】
【技術分野】
【０００１】
本開示は小型電気機器およびその制御装置に関する。
【背景技術】
【０００２】
従来の小型電気機器として特許文献１の電気かみそりは、髭を剃るヘッドを駆動させる駆動源の駆動および停止を切り替える押釦式のスイッチを備える。また電気かみそりは、スイッチの押操作を許容するアンロック状態と、スイッチの押操作を規制するロック状態とを切替可能なロック具をスイッチとは別に備える。
【先行技術文献】
【特許文献】
【０００３】
【特許文献１】特開２０１３−２７５０２号公報
【発明の概要】
【発明が解決しようとする課題】
【０００４】
特許文献１の電気かみそりは、駆動源の駆動および停止、ならびに、スイッチのロック状態およびアンロック状態を切り替えるためにスイッチおよびロック具を個別に操作する必要がある。このため、電気かみそりの動作の切り替えの操作性についてなお改善の余地がある。なお、上述した問題は、電気かみそりに限られず、電気バリカンなどの剃毛器、電動歯ブラシなどの口腔衛生機器、ドライヤー、美顔器などの美容機器、および、インパクト回転工具などの電動工具についても同様に生じると考えられる。
【０００５】
本開示の目的は、動作の切り替えの操作性を向上させることができる小型電気機器およびその制御装置を提供することである。
【課題を解決するための手段】
【０００６】
本開示に関する小型電気機器の制御装置は、小型電気機器のスイッチの操作に応じて前記小型電気機器の駆動源の動作を変更する小型電気機器の制御装置であって、前記小型電気機器の動作モードが第１動作モードであり、前記スイッチが第１操作される場合、前記小型電気機器の動作モードを前記第１動作モードとは異なる第２動作モードに変更し、前記小型電気機器の動作モードが前記第１動作モードであり、前記スイッチが前記第１操作とは異なる第２操作される場合、前記小型電気機器の動作モードを前記第１動作モードおよび前記第２動作モードとは異なる第３動作モードに変更し、前記小型電気機器の動作モードが前記第２動作モードであり、前記スイッチが前記第１操作される場合、前記第１動作モードかつ前記第１操作の場合に選択される動作モードとは異なる動作モードに変更し、前記小型電気機器の動作モードが前記第２動作モードであり、前記スイッチが前記第２操作される場合、前記第１動作モードかつ前記第２操作の場合に選択される動作モードとは異なる動作モードに変更する。
【発明の効果】
【０００７】
本開示に関する小型電気機器の制御装置およびこれを備える小型電気機器は、動作の切り替えの操作性を向上させることができる。
【図面の簡単な説明】
【０００８】
【図１】実施の形態の小型電気機器の斜視図。
【図２】図１の小型電気機器の制御構成を示すブロック図。
【図３】（ａ）図１の小型電気機器のスイッチの操作時間とスイッチの操作の有効および無効の判定との関係を示すグラフ、（ｂ）スイッチの操作時間と短押し判定との関係を示すグラフ、（ｃ）スイッチの操作時間と長押し判定との関係を示すグラフ。
【図４】図１の小型電気機器の現在の動作モード、スイッチの操作、および、スイッチの操作後の動作モードの関係を示すテーブル。
【図５】（ａ）（ｂ）変形例の小型電気機器の現在の動作モード、スイッチの操作、および、スイッチの操作後の動作モードの関係を示すテーブル。
【発明を実施するための形態】
【０００９】
（小型電気機器およびその制御装置が取り得る形態の一例）
一例では、小型電気機器の制御装置は、小型電気機器のスイッチの操作に応じて前記小型電気機器の駆動源の動作を変更する小型電気機器の制御装置であって、前記小型電気機器の動作モードが第１動作モードであり、前記スイッチが第１操作される場合、前記小型電気機器の動作モードを前記第１動作モードとは異なる第２動作モードに変更し、前記小型電気機器の動作モードが前記第１動作モードであり、前記スイッチが前記第１操作とは異なる第２操作される場合、前記小型電気機器の動作モードを前記第１動作モードから前記第２動作モードを介さずに前記第１動作モードおよび前記第２動作モードとは異なる第３動作モードに変更する。
【００１０】
前記小型電気機器の制御装置の一例では、前記第１操作は長押し操作および短押し操作の一方であり、前記第２操作は長押し操作および短押し操作の他方である。
前記小型電気機器の制御装置の一例では、前記第１動作モードは前記駆動源を停止する停止モードである。
【００１１】
前記小型電気機器の制御装置の一例では、前記第２動作モードは前記駆動源を駆動する駆動モードである。
前記小型電気機器の制御装置の一例では、前記第３動作モードは前記小型電気機器の洗浄のために前記駆動源を駆動する洗浄モード、および、前記スイッチの操作が前記第１操作または前記第２操作である場合に前記小型電気機器の動作モードを変更しないロックモードの一方である。
【００１２】
前記小型電気機器の制御装置の一例では、前記小型電気機器の動作モードが前記第２動作モードであり、前記スイッチが前記第１操作される場合、前記小型電気機器の動作モードを前記第１動作モードに変更する。
【００１３】
前記小型電気機器の制御装置の一例では、前記小型電気機器の動作モードが前記第２動作モードであり、前記スイッチが前記第２操作される場合、前記小型電気機器の動作モードを前記第３動作モードに変更する。
【００１４】
前記小型電気機器の制御装置の一例では、前記小型電気機器の動作モードが前記第３動作モードであり、前記スイッチが前記第１操作される場合、前記小型電気機器の動作モードを前記第１動作モードに変更する。
【００１５】
一例では、小型電気機器は、前記小型電気機器の制御装置を備える。
前記小型電気機器の一例では、前記スイッチは１個の押釦スイッチである。
前記小型電気機器の一例では、電気かみそりである。
【００１６】
一例では、小型電気機器の制御装置は、駆動源と、前記駆動源の動作を変更するスイッチとを備える小型電気機器の制御装置であって、前記スイッチの操作種類の判定を行う第１判定基準および前記第１判定基準とは異なる判定基準である第２判定基準と、前記スイッチが操作される前の前記小型電気機器の動作モードとに基づいて、前記スイッチが操作された後の前記小型電気機器の動作モードを設定する。
【００１７】
上記制御装置によれば、スイッチが操作される前の小型電気機器の動作モードと、スイッチの操作種類との組み合わせで、スイッチが操作された後の小型電気機器の複数の動作モードが設定可能である。すなわち、スイッチの操作種類が同じでもスイッチが操作される前の小型電気機器の動作モードが異なれば、スイッチが操作された後の小型電気機器の動作モードを異ならせることができる。したがって、小型電気機器の動作の切り替えの操作性が向上する。
【００１８】
前記小型電気機器の制御装置の一例では、前記スイッチは押釦スイッチであり、前記第１判定基準は、前記スイッチが第１判定時間以上かつ前記第１判定時間よりも長い第２判定時間未満の期間にわたり押操作される短押し判定であり、前記第２判定基準は、前記スイッチが前記第２判定時間以上の期間にわたり押操作される長押し判定である。
【００１９】
上記制御装置によれば、スイッチの操作の種類が一般的に浸透している操作である短押しおよび長押しであるため、ユーザーが慣れているスイッチの操作で様々な動作モードに切り替えることができる。したがって、小型電気機器の動作の切り替えの操作性が向上する。
【００２０】
前記小型電気機器の制御装置の一例では、前記小型電気機器の動作モードとして、前記駆動源を停止させる停止モードと、前記駆動源を駆動させる駆動モードと、前記駆動源を前記駆動モードよりも高速で駆動させる洗浄モードとを含み、前記停止モードにおいて、前記スイッチの操作が前記第１判定基準を満たし、かつ前記第２判定基準を満たさないとき、前記停止モードから前記駆動モードに切り替え、前記停止モードにおいて、前記スイッチの操作が前記第２判定基準を満たすとき、前記停止モードから前記洗浄モードに切り替える。
【００２１】
上記制御装置によれば、停止モードにおいてスイッチが第２判定基準を満たすまで操作されると、洗浄モードに切り替えられる。このため、停止した状態の小型電気機器に付着した汚れ等をユーザーが確認した後、ユーザーが第２判定基準を満たすまでスイッチを操作することにより、小型電気機器が停止モードから洗浄モードに切り替えられる。このため、スイッチの操作が１回で小型電気機器が停止モードから洗浄モードに切り替えられる。したがって、小型電気機器の動作の切り替えの操作性が向上する。
【００２２】
前記小型電気機器の制御装置の一例では、前記停止モードにおいて、前記スイッチの操作が前記第１判定基準を満たしたとき、前記駆動源を駆動させ、前記スイッチの操作が前記第２判定基準を満たしたとき、前記停止モードから前記洗浄モードに切り替える。
【００２３】
ユーザーが第２判定基準を満たすまでスイッチを操作した場合、スイッチが操作されてから小型電気機器の動作に変化が生じないと、ユーザーがスイッチに不具合が生じていると認識してしまうおそれがある。
【００２４】
上記制御装置によれば、停止モードにおいてスイッチが第２判定基準を満たすまで操作される場合、スイッチが第１判定基準を満たすまで操作されたときに駆動源が駆動する。これにより、ユーザーがスイッチに不具合が生じていると認識しにくくなる。
【００２５】
前記小型電気機器の制御装置の一例では、前記小型電気機器の動作モードとして、前記駆動源を停止させる停止モードと、前記駆動源を駆動させる駆動モードと、前記スイッチの前記第１判定基準を満たす操作を無効とするロックモードとを含み、前記駆動モードにおいて、前記スイッチの操作が前記第１判定基準を満たし、かつ前記第２判定基準を満たさないとき、前記駆動モードから前記停止モードに切り替え、前記駆動モードにおいて、前記スイッチの操作が前記第２判定基準を満たしたとき、前記駆動モードから前記ロックモードに切り替える。
【００２６】
上記制御装置は、駆動モードにおいてスイッチが第２判定基準を満たすまで操作されると、ロックモードに切り替えられる。このため、ユーザーが小型電気機器を使用した後、スイッチが操作されなければ、駆動モードが維持され、その状態でユーザーが第２判定基準を満たすまでスイッチを操作することにより、小型電気機器が駆動モードからロックモードに切り替えられる。したがって、ユーザーが小型電気機器を使用した後にスイッチの操作に基づいてロックモードに操作する場合、スイッチの１回の操作でロックモードに切り替えられるため、小型電気機器の動作の切り替えの操作性が向上する。
【００２７】
前記小型電気機器の制御装置の一例では、前記駆動モードにおいて、前記スイッチの操作が前記第１判定基準を満たしたとき、前記駆動源を停止させ、前記スイッチの操作が前記第２判定基準を満たしたとき、前記駆動モードから前記ロックモードに切り替える。
【００２８】
ユーザーが第２判定基準を満たすまでスイッチを操作した場合、スイッチが操作されてから小型電気機器の動作に変化が生じないと、ユーザーがスイッチに不具合が生じていると認識してしまうおそれがある。
【００２９】
上記制御装置によれば、駆動モードにおいてスイッチが第２判定基準を満たすまで操作される場合、スイッチが第１判定基準を満たすまで操作されたときに駆動源が停止する。これにより、ユーザーがスイッチに不具合が生じていると認識しにくくなる。
【００３０】
一例では、小型電気機器は、上記小型電気機器の制御装置と、前記スイッチとしての１個の押釦スイッチとを備える。
上記小型電気機器によれば、小型電気機器の制御装置と同様の効果が得られる。また、小型電気機器のスイッチが１個の押釦スイッチであるため、ユーザーが１個のスイッチの押操作により小型電気機器の様々な動作モードが切り替えられる。したがって、小型電気機器が複数のスイッチを備える構成と比較して、小型電気機器の動作の切り替えの操作性が向上する。
【００３１】
（実施の形態）
図１を参照して、小型電気機器の一例である電気かみそり１の構成について説明する。
電気かみそり１は、本体１０、および、本体１０に対して動作可能に取り付けられたヘッド２０を備える。
【００３２】
本体１０は、ユーザーに把持されるグリップ１１、および、グリップ１１に取り付けられた１個のスイッチ１２を備える。スイッチ１２の一例は、押釦スイッチである。グリップ１１の内部には、バッテリー（図示略）が収容されている。
【００３３】
また本体１０は、本体１０の長手方向においてスイッチ１２に対してヘッド２０とは反対側に取り付けられた表示部１３を備える。表示部１３は、電気かみそり１の動作状態や電池残量等を表示する。
【００３４】
ヘッド２０は、外刃ユニット２２、外刃ユニット２２が取り付けられるヘッドカバー２４、および、ヘッドカバー２４に収容される一対の内刃ユニット（図示略）を備える。外刃ユニット２２の外刃２３には多数の孔２３Ａが形成され、孔２３Ａを介して例えばユーザーの髭がヘッド２０の内部に導入される。ヘッド２０の内部に導入された髭は外刃２３と内刃ユニットの内刃（図示略）との間に挟み込まれて切断される。ヘッドカバー２４の内部には、駆動源の一例であるリニアモーター２１が収容されている。リニアモーター２１は、スイッチ１２の操作に基づいて、バッテリーから電力が供給されることにより、内刃ユニットをヘッド２０の長手方向に往復駆動させる。
【００３５】
図２を参照して、電気かみそり１の電気的な構成について説明する。
本体１０（図１参照）は、電気かみそり１の動作を制御する制御装置３０を備える。制御装置３０は、リニアモーター２１を制御する制御部３１、および、制御部３１の制御信号に基づいてリニアモーター２１を駆動させる駆動回路３６を備える。制御部３１には、スイッチ１２の操作信号が入力される。操作信号は、スイッチ１２が押操作されたときに出力される。そして制御部３１は、所定時間毎（例えば数ｍｓｅｃ毎）にスイッチ１２の状態を検出する。
【００３６】
制御部３１は、スイッチ判定部３２およびモード処理部３３を含んで構成される。制御部３１は、メモリー（図示略）を含む。制御部３１は、電気かみそり１の現在の動作モードをメモリーに記憶している。
【００３７】
スイッチ判定部３２は、スイッチ１２の操作の有効および無効の判定、ならびに、スイッチ１２の操作が有効の場合、スイッチ１２の操作種類の一例として、スイッチ１２の操作の短押し操作および長押し操作の判定を行う。スイッチ判定部３２は、スイッチ１２の操作の判定結果を判定信号としてモード処理部３３に出力する。スイッチ判定部３２は、スイッチ１２の操作の有効および無効、ならびに、短押し操作および長押し操作をスイッチ１２の押操作の時間に基づいて判定する。なお、スイッチ１２の押操作の時間は、スイッチ判定部３２がオン判定を継続した時間である。スイッチ判定部３２は、スイッチ１２が押操作されているとき、すなわち操作信号が入力されているとき、オン判定し、押操作されていないとき、すなわち操作信号が入力されていないとき、オフ判定する。
【００３８】
図３（ａ）に示されるように、スイッチ判定部３２は、スイッチ１２（ともに図２参照）の押操作の時間がスイッチ１２の押操作が開始された時刻ｔ０から時刻ｔ１までの時間である第１判定時間ＳＴ１未満の場合、スイッチ１２の押操作を無効と判定する。なお、第１判定時間ＳＴ１は、第１判定基準の一例である。スイッチ判定部３２は、スイッチ１２の押操作の時間が第１判定時間ＳＴ１以上の場合、スイッチ１２の押操作を有効と判定する。なお、第１判定時間ＳＴ１は、スイッチ１２が押操作されたと判定可能な時間の最短時間であり、試験等により予め設定される。
【００３９】
図３（ｂ）に示されるように、スイッチ判定部３２は、スイッチ１２の押操作の時間が第１判定時間ＳＴ１以上かつ時刻ｔ０から時刻ｔ１よりも後の時刻である時刻ｔ２までの時間である第２判定時間ＳＴ２未満の場合、スイッチ１２が短押しされたと判定する。なお、第２判定時間ＳＴ２は、第２判定基準の一例である。図３（ｃ）に示されるように、スイッチ判定部３２は、スイッチ１２の押操作の時間が第２判定時間ＳＴ２以上の場合、スイッチ１２が長押しされたと判定する。なお、第２判定時間ＳＴ２は、スイッチ１２が長押しされたと判定可能な時間の最短時間であり、試験等により予め設定される。また、第１判定時間ＳＴ１および第２判定時間ＳＴ２は、制御部３１のメモリーに記憶されている。
【００４０】
図２に示されるように、モード処理部３３は、電気かみそり１の動作状態を判定し、電気かみそり１の動作状態に応じた制御信号を駆動回路３６に出力する。モード処理部３３は、電気かみそり１の動作モードを判定するモード判定部３４と、スイッチ１２の操作すなわちスイッチ判定部３２の判定信号に基づいて動作モードを切り替えるモード切替部３５とを備える。
【００４１】
電気かみそり１の動作モードは、停止モード、駆動モード、洗浄モード、および、ロックモードを含む。
停止モードは、電気かみそり１のヘッド２０（図１参照）の動作を停止させる制御状態、すなわちリニアモーター２１の駆動を停止させる制御状態である。
【００４２】
駆動モードは、電気かみそり１のヘッド２０がユーザーの髭を剃るために適した動作をヘッド２０に実行させる制御状態、すなわちユーザーの髭を剃るために適した往復移動速度および振幅でリニアモーター２１を駆動させる制御状態である。
【００４３】
洗浄モードは、電気かみそり１のヘッド２０がヘッド２０を洗浄するために適した動作をヘッド２０に実行させる制御状態、すなわちヘッド２０を洗浄するために適した往復移動速度および振幅でリニアモーター２１を駆動させる制御状態である。一例として、洗浄モードにおけるリニアモーター２１の振幅は、駆動モードにおけるリニアモーター２１の振幅よりも小さい。また洗浄モードにおけるリニアモーター２１のストローク数は、駆動モードにおけるリニアモーター２１のストローク数よりも高い。なお、ストローク数は、単位時間当たりのリニアモーター２１の往復回数である。
【００４４】
ロックモードは、スイッチ１２の短押しを無効にする状態、すなわちスイッチ１２が短押しされたとしても電気かみそり１の動作モードを変更しない状態である。ロックモードにおいてスイッチ判定部３２がスイッチ１２の短押しと判定したとき、表示部１３（図１参照）にロックモードを示すアイコン（例えば、南京錠）が表示される。
【００４５】
モード判定部３４は、制御部３１のメモリーから現在の動作モードを読み出し、モード切替部３５に出力する。モード判定部３４によりメモリーから読み出された動作モード（現在の動作モード）がスイッチ１２の操作前の動作モードとなる。
【００４６】
モード切替部３５は、例えば図４に示される電気かみそり１における現在の動作モードと、スイッチ１２の操作種類と、スイッチ１２の操作後の動作モードとの関係を示すテーブルを用いてスイッチ１２の操作後の動作モードを切り替える。なお、スイッチ１２の操作後の動作モードは、制御部３１のメモリーに上書きされる。このため、スイッチ１２が次回において操作される場合、前回のスイッチ１２の操作におけるスイッチ１２の操作後の動作モードが現在の動作モードとなる。
【００４７】
図４に示されるとおり、モード切替部３５は、現在の動作モードが停止モードのときにスイッチ１２が短押しされると、停止モードから駆動モードに切り替える。モード切替部３５は、現在の動作モードが停止モードのときにスイッチ１２が長押しされると、停止モードから洗浄モードに切り替える。モード切替部３５は、現在の動作モードが洗浄モードのときにスイッチ１２が短押しされると、洗浄モードから停止モードに切り替える。
【００４８】
モード切替部３５が停止モードから洗浄モードに切り替えるとき、次のようにリニアモーター２１が駆動する。現在の動作モードが停止モードにおいてスイッチ判定部３２がスイッチ１２の押操作を有効と判定したとき、リニアモーター２１が駆動モードの条件で駆動する。そしてスイッチ判定部３２がスイッチ１２の長押しと判定したとき、リニアモーター２１が洗浄モードの条件で駆動する。
【００４９】
モード切替部３５は、現在の動作モードが駆動モードのときにスイッチ１２が短押しされると、駆動モードから停止モードに切り替える。モード切替部３５は、現在の動作モードが駆動モードのときにスイッチ１２が長押しされると、駆動モードからロックモードに切り替える。モード切替部３５は、現在の動作モードがロックモードのときにスイッチ１２が長押しされると、ロックモードから駆動モードに切り替える。モード切替部３５は、現在の動作モードがロックモードのときにスイッチ１２が短押しされても、ロックモードを維持する。
【００５０】
モード切替部３５が駆動モードからロックモードに切り替えるとき、次のようにリニアモーター２１が駆動する。現在の動作モードが駆動モードにおいてスイッチ判定部３２がスイッチ１２の押操作を有効と判定したとき、リニアモーター２１の駆動が停止する。そしてスイッチ判定部３２がスイッチ１２の長押しと判定したときもリニアモーター２１の駆動の停止が維持される。
【００５１】
電気かみそり１の作用について説明する。
従来の電気かみそりとして、電気かみそりが停止モードおよび駆動モードのいずれの動作モードであってもスイッチの長押しに基づいて洗浄モードに切り替えられるものが知られている。また従来の別の電気かみそりとして、別の電気かみそりが停止モードおよび駆動モードのいずれの動作モードであってもスイッチの長押しに基づいてロックモードに切り替えられるものが知られている。
【００５２】
これら従来の電気かみそりは、スイッチの操作前の動作モードは考慮されず、スイッチの長押しのみに基づいて動作モードを洗浄モードまたはロックモードに切り替える。このため、スイッチの長押しに対して１種類の動作モードの切り替えしかできない。
【００５３】
一方、電気かみそり１は、現在の動作モードが停止モードにおいてスイッチ１２が長押しされるときに停止モードから洗浄モードに切り替え、現在の動作モードが駆動モードにおいてスイッチ１２が長押しされるときに駆動モードからロックモードに切り替える。このため、スイッチ１２の長押しに対して２種類の動作モードの切り替えが可能となる。したがって、電気かみそり１の動作モードの切り替えの操作性が向上する。
【００５４】
本実施の形態は、以下の効果を奏することができる。
（１）電気かみそり１は、現在の動作モード（スイッチ１２の操作前の動作モード）と、スイッチ１２の操作種類とに基づいて、スイッチ１２の操作後の動作モードを切り替える。このため、現在の動作モードと、スイッチ１２の操作種類との組み合わせで、スイッチ１２が操作された後の複数の動作モードが設定可能である。すなわち、スイッチ１２の操作種類が同じでも現在の動作モードが異なれば、スイッチ１２が操作された後の動作モードを異ならせることができる。これにより、例えば特許文献１の電気かみそりのようにスイッチとロック具との両方を備えていなくても、スイッチ１２のみで動作モードの切り替えとスイッチ１２のロック状態およびアンロック状態の切り替えとの両方が可能となる。したがって、電気かみそり１の動作モードの切り替えの操作性が向上する。
【００５５】
（２）スイッチ１２の操作種類が短押しおよび長押しであるため、ユーザーが慣れているスイッチ１２の操作で様々な動作モードに切り替えることができる。したがって、電気かみそり１の動作モードの切り替えの操作性が向上する。
【００５６】
（３）ユーザーが電気かみそりのヘッドを視認してヘッドに髭が付着していれば、ヘッドを洗浄する必要があると認識し、ヘッドを洗浄するための洗浄モードに切り替える。このように、電気かみそりは、ユーザーがヘッドに髭が付着しているか否かを確認するためにヘッドが停止した状態であることが好ましい。そして、電気かみそりが停止モードから洗浄モードに切り替えられることが好ましい。また、ヘッドが停止した状態から、ユーザーがスイッチを操作することによりヘッドを駆動させた後、再びスイッチを操作することにより電気かみそりを洗浄モードに切り替える場合、ユーザーがスイッチを２回操作する必要がある。このため、電気かみそりの動作モードの切り替えの操作性が低下する。
【００５７】
電気かみそり１は、現在の動作モードが停止モードにおいてスイッチ１２が長押しされると、洗浄モードに切り替える。このため、停止したヘッド２０をユーザーが確認した後、ユーザーがスイッチ１２を長押しすることにより、電気かみそり１が停止モードから洗浄モードに切り替えられるため、スイッチ１２の操作が１回で電気かみそり１が洗浄モードに切り替えられる。したがって、電気かみそり１の動作モードの切り替えの操作性が向上する。
【００５８】
（４）ユーザーが外出する前に電気かみそりを使用し、その電気かみそりをバッグなどに入れて携帯する場合、電気かみそりが誤って駆動することを抑制するため、電気かみそりがロックモードであることが好ましい。また、ユーザーが電気かみそりを使用し、ユーザーがスイッチを操作してヘッドを停止した後、再びスイッチを操作して電気かみそりをロックモードに切り替える場合、ユーザーがスイッチを２回操作する必要がある。このため、電気かみそりの動作モードの切り替えの操作性が低下する。
【００５９】
電気かみそり１は、現在の動作モードが駆動モードにおいてスイッチ１２が長押しされるとロックモードに切り替える。このため、ユーザーが電気かみそり１を使用した後、スイッチ１２が操作されなければ、電気かみそり１が駆動モードを維持し、その状態でユーザーがスイッチ１２を長押しすることにより、電気かみそり１が駆動モードからロックモードに切り替える。したがって、ユーザーが電気かみそり１を使用した後にスイッチ１２の操作に基づいてロックモードに操作する場合、１回のスイッチ１２の操作でロックモードに切り替えられるため、電気かみそり１の動作モードの切り替えの操作性が向上する。
【００６０】
（５）ユーザーがスイッチを長押しする場合、スイッチが操作されてから電気かみそりの動作モードに変化が生じないと、ユーザーがスイッチに不具合が生じていると認識してしまうおそれがある。
【００６１】
電気かみそり１は、現在の動作モードが停止モードにおいてスイッチ１２が長押しされる場合、スイッチ１２の押操作が有効と判定されたときにリニアモーター２１が駆動モードの条件で駆動する。また電気かみそり１は、現在の動作モードが駆動モードにおいてスイッチ１２が長押しされる場合、スイッチ１２の押操作が有効と判定されたときにリニアモーター２１が停止する。このように電気かみそり１は、スイッチ１２が押操作されたときに動作を切り替えるため、ユーザーがスイッチ１２に不具合が生じていると認識しにくくなる。
【００６２】
（６）電気かみそり１は、スイッチ１２として１個の押釦スイッチを備える。このため、１個のスイッチ１２の短押しおよび長押しに基づいて、４つの動作モードの切り替えが可能となる。したがって、複数のスイッチの操作に基づいて４つの動作モードを切り替える場合と比較して、電気かみそり１の動作モードの切り替えの操作性が向上する。
【００６３】
（７）電気かみそり１の動作モードである停止モード、駆動モード、洗浄モード、および、ロックモードのうち、停止モードおよび駆動モードが洗浄モードおよびロックモードよりも使用頻度が高い。
【００６４】
電気かみそり１は、スイッチ１２の短押しに基づいて停止モードおよび駆動モードを切り替える。このため、スイッチ１２の長押しに基づいて停止モードおよび駆動モードが切り替えられる場合と比較して、使用頻度が高い停止モードおよび駆動モードの切り替えを容易に行うことができる。
【００６５】
（８）電気かみそり１は、現在の動作モードがロックモードのときにスイッチ１２が短押しされたとき、表示部１３にロックモードを示すアイコンを表示させる。これにより、電気かみそり１がロックモードであることをユーザーが認識しやすくなる。
【００６６】
（変形例）
実施の形態に関する説明は本開示に従う小型電気機器およびその制御装置が取り得る形態の例示であり、その形態を制限することを意図していない。本開示に従う小型電気機器およびその制御装置は実施の形態以外に例えば以下に示される実施の形態の変形例、および、相互に矛盾しない少なくとも２つの変形例が組み合わせられた形態を取り得る。
【００６７】
・上記実施の形態において、モード切替部３５は、図５（ａ）のテーブルに示されるように、各動作モードにおけるスイッチ１２の操作後の動作モードを変更してもよい。なお、図５（ａ）の網掛け部分は図４のテーブルから変更されていない動作モードを示す。
【００６８】
図５（ａ）に示されるとおり、モード切替部３５は、現在の動作モードが停止モードにおいてスイッチ１２が長押しされると、停止モードからロックモードに切り替える。またモード切替部３５は、現在の動作モードが駆動モードにおいてスイッチ１２が長押しされると、駆動モードから洗浄モードに切り替える。またモード切替部３５は、現在の動作モードが洗浄モードにおいてスイッチ１２が短押しされると、洗浄モードから駆動モードに切り替える。またモード切替部３５は、現在の動作モードがロックモードにおいてスイッチ１２が長押しされると、ロックモードから停止モードに切り替える。
【００６９】
・上記変形例のモード切替部３５は、図５（ａ）のテーブルにおいて、現在の動作モードが洗浄モードにおいてスイッチ１２が長押しされると、駆動モード、停止モード、および、ロックモードのいずれかに切り替えてもよい。
【００７０】
・上記変形例のモード切替部３５は、図５（ａ）のテーブルにおいて、現在の動作モードが洗浄モードにおいてスイッチ１２が短押しされると、洗浄モードからロックモードに切り替えてもよいし、洗浄モードを維持してもよい。
【００７１】
・上記実施の形態において、モード切替部３５は、現在の動作モードが洗浄モードおよびロックモードにおいて、図５（ｂ）のテーブルに示されるように、スイッチ１２の操作後の動作モードを変更してもよい。なお、図５（ｂ）の網掛け部分は図４のテーブルから変更されていない動作モードを示す。
【００７２】
図５（ｂ）に示されるとおり、モード切替部３５は、現在の動作モードが洗浄モードにおいてスイッチ１２が長押しされると、洗浄モードから駆動モードに切り替える。またモード切替部３５は、現在の動作モードがロックモードにおいてスイッチ１２が長押しされると、ロックモードから洗浄モードに切り替える。
【００７３】
・上記変形例のモード切替部３５は、図５（ｂ）のテーブルにおいて、現在の動作モードが洗浄モードにおいてスイッチ１２が長押しされると、洗浄モードからロックモードまたは停止モードに切り替えてもよい。
【００７４】
・上記変形例のモード切替部３５は、図５（ｂ）のテーブルにおいて、現在の動作モードが洗浄モードにおいてスイッチ１２が短押しされると、洗浄モードから駆動モードまたはロックモードに切り替えてもよい。
【００７５】
・上記実施の形態において、電気かみそり１は外刃２３の孔２３Ａに髭が挿入されたことを検出する髭センサーを備えてもよい。この場合、電気かみそり１は、ロックモードまたは洗浄モードに代えて、孔２３Ａに髭が挿入されたことに基づいてリニアモーター２１の振幅を駆動モードにおけるリニアモーター２１の振幅から変更する髭センサーモードを備えてもよい。一例として、電気かみそり１がロックモードに代えて髭センサーモードを備える場合、モード切替部３５は、現在の動作モードが駆動モードにおいてスイッチ１２が長押しされると、駆動モードから髭センサーモードに切り替える。またモード切替部３５は、現在の動作モードが髭センサーモードにおいてスイッチ１２が長押しされると、髭センサーモードから駆動モードに切り替える。また別例として、電気かみそり１が洗浄モードに代えて髭センサーモードを備える場合、モード切替部３５は、現在の動作モードが停止モードにおいてスイッチ１２が長押しされると、停止モードから髭センサーモードに切り替える。またモード切替部３５は、現在の動作モードが髭センサーモードにおいてスイッチ１２が長押しされると、髭センサーモードから停止モードに切り替える。なお、電気かみそり１は、図５（ａ）および図５（ｂ）に示されるテーブルにおいても同様に洗浄モードおよびロックモードのいずれかに代えて、髭センサーモードを備えてもよい。
【００７６】
・上記実施の形態における図４に示されるテーブル、ならびに、図５（ａ）および図５（ｂ）に示されるテーブルにおいて、駆動モードに代えて、髭センサーモードを備えてもよい。
【００７７】
・上記実施の形態における図４に示されるテーブル、ならびに、図５（ａ）および図５（ｂ）に示されるテーブルにおいて、スイッチ１２の長押しに代えて、スイッチ１２が所定時間内に２回押操作されることに基づいて、動作モードを変更してもよい。
【００７８】
・上記実施の形態における図４に示されるテーブル、ならびに、図５（ａ）および図５（ｂ）に示されるテーブルにおいて、モード切替部３５は、スイッチ１２が所定時間内に２回押操作されることに基づいて、動作モードをさらに変更してもよい。
【００７９】
例えば、モード切替部３５は、図４に示されるテーブルにおいてスイッチ１２が所定時間内に２回押操作されることにより次のように動作モードを切り替える。
モード切替部３５は、現在の動作モードが停止モードにおいてスイッチ１２が所定時間内に２回押操作されると、停止モードからロックモードに切り替える。またモード切替部３５は、現在の動作モードが駆動モードにおいてスイッチ１２が所定時間内に２回押操作されると、駆動モードから洗浄モードに切り替える。モード切替部３５は、現在の動作モードが洗浄モードにおいてスイッチ１２が所定時間内に２回押操作されると、洗浄モードからロックモードおよび駆動モードのいずれかに切り替える。モード切替部３５は、現在の動作モードがロックモードにおいてスイッチ１２が所定時間内に２回押操作されると、ロックモードから停止モードおよび洗浄モードのいずれかに切り替える。
【００８０】
また、モード切替部３５は、図５（ａ）に示されるテーブルにおいてスイッチ１２が所定時間内に２回押操作されることにより次のように動作モードを切り替える。
モード切替部３５は、現在の動作モードが停止モードにおいてスイッチ１２が所定時間内に２回押操作されると、停止モードから洗浄モードに切り替える。またモード切替部３５は、現在の動作モードが駆動モードにおいてスイッチ１２が所定時間内に２回押操作されると、駆動モードからロックモードに切り替える。またモード切替部３５は、現在の動作モードが洗浄モードにおいてスイッチ１２が所定時間内に２回押操作されると、洗浄モードから停止モードおよびロックモードのいずれかに切り替える。またモード切替部３５は、現在の動作モードがロックモードにおいてスイッチ１２が所定時間内に２回押操作されると、ロックモードから駆動モードおよび洗浄モードのいずれかに切り替える。
【００８１】
また、モード切替部３５は、図５（ｂ）に示されるテーブルにおいてスイッチ１２が所定時間内に２回押操作されることにより次のように動作モードを切り替える。
モード切替部３５は、現在の動作モードが停止モードにおいてスイッチ１２が所定時間内に２回押操作されると、停止モードから洗浄モードに切り替える。またモード切替部３５は、現在の動作モードが駆動モードにおいてスイッチ１２が所定時間内に２回押操作されると、駆動モードからロックモードに切り替える。またモード切替部３５は、現在の動作モードが洗浄モードにおいてスイッチ１２が所定時間内に２回押操作されると、洗浄モードからロックモードに切り替える。またモード切替部３５は、現在の動作モードがロックモードにおいてスイッチ１２が所定時間内に２回押操作されると、ロックモードから停止モードおよび駆動モードのいずれかに切り替える。
【００８２】
・上記実施の形態において、電気かみそり１が洗浄モードのとき、表示部１３に洗浄モードを表すアイコンを表示してもよい。
・上記実施の形態において、外刃ユニット２２および内刃ユニットの数は任意の設定事項である。外刃ユニット２２および内刃ユニットの数は、１個でも３個以上であってもよい。
【００８３】
・上記実施の形態において、電気かみそり１から表示部１３を省略してもよい。
・上記実施の形態において、スイッチ１２の個数は任意の設定事項である。スイッチ１２の数は２個以上であってもよい。
【００８４】
・上記実施の形態において、スイッチ１２を押釦スイッチに代えてスライドスイッチとしてもよい。
・上記実施の形態において、電気かみそり１は、内刃ユニットが往復駆動する形式に代えて、内刃ユニットが外刃ユニットに対して回転する形式であってもよい。
【００８５】
・小型電気機器は、電気かみそり１に限られず、電気バリカンなどの剃毛器、電動歯ブラシなどの口腔衛生機器、ドライヤー、美顔器、フェイスマッサージ機などの美容機器、および、インパクト回転工具などの電動工具に適用してもよい。
【産業上の利用可能性】
【００８６】
本小型電気機器は、電気かみそり、電気バリカンなどの剃毛器、電動歯ブラシなどの口腔衛生機器、ドライヤー、美顔器、フェイスマッサージ機などの美容機器、および、インパクト回転工具などの電動工具に利用できる。
【符号の説明】
【００８７】
１    ：電気かみそり（小型電気機器）
１２  ：スイッチ
２１  ：リニアモーター（駆動源）
３０  ：制御装置
ＳＴ１：第１判定時間（第１判定基準）
ＳＴ２：第２判定時間（第２判定基準）
【図１】
2020151533.tif 000003
【図２】
2020151533.tif 000004
【図３】
2020151533.tif 000005
【図４】
2020151533.tif 000006
【図５】
2020151533.tif 000007